(57)【要約】【課題】フォールディング状態で可撓性表示パネルが受けるストレスを最小化することができるフォールダブル表示装置を提供する。【解決手段】本発明の一実施形態によるフォールダブル表示装置は、表示部が位置する第１面と、第１面と反対側に位置する第２面とを備え、ベンディング可能領域を含む表示パネルと、第２面と対向し表示パネルに結合されたパネル支持部とを有し、パネル支持部は、ベンディング可能領域に対応して第１方向に沿って並んで配列され、それぞれ表示パネルと向き合う第１支持面を備え、それぞれ二つの回動軸を中心に回動可能に結合された複数のリンク部材を含み、複数のリンク部材それぞれの二つの回動軸は、第２面から第１面に向かう方向に沿って第１支持面と離隔していることを特徴とする。【選択図】図１
2018060201.tif 000002
【特許請求の範囲】
【請求項１】
フォールダブル（ｆｏｌｄａｂｌｅ、折りたたみ式）表示装置であって、
表示部が位置する第１面と、前記第１面と反対側に位置する第２面とを備え、ベンディング可能領域を含む表示パネルと、
前記第２面と対向し前記表示パネルに結合されたパネル支持部とを有し、
前記パネル支持部は、
前記ベンディング可能領域に対応して第１方向に沿って並んで配列され、それぞれ前記表示パネルと向き合う第１支持面を備え、それぞれ二つの回動軸を中心に回動可能に結合された複数のリンク部材を含み、
前記複数のリンク部材それぞれの前記二つの回動軸は、前記第２面から前記第１面に向かう方向に沿って前記第１支持面と離隔されていることを特徴とするフォールダブル表示装置。
【請求項２】
前記複数のリンク部材が備える複数の第１支持面は広げた状態で互いに離隔し、
前記複数のリンク部材それぞれの前記二つの回動軸の間の距離は、前記第１支持面の幅より大きいことを特徴とする請求項１に記載のフォールダブル表示装置。
【請求項３】
前記複数のリンク部材それぞれは、
前記第１支持面の第１方向に沿った両側端部の下方に位置し前記第１支持面と連結される二つの下部傾斜面と、
前記第１方向と交差する第２方向に沿った前記第１支持面の両側端部に位置する二つの第１突出部とを含むことを特徴とする請求項２に記載のフォールダブル表示装置。
【請求項４】
前記二つの第１突出部それぞれは、断面上で前記二つの下部傾斜面と同一平面上に位置する二つの上部傾斜面を含み、
前記二つの回動軸は、前記二つの上部傾斜面の上側端部に位置することを特徴とする請求項３に記載のフォールダブル表示装置。
【請求項５】
前記二つの第１突出部それぞれは、前記二つの上部傾斜面の上に位置する二つの垂直面をさらに含み、
広げた状態で、前記二つの垂直面は、前記第１方向に沿って隣接する前記第１突出部に含まれる前記垂直面と接触することを特徴とする請求項４に記載のフォールダブル表示装置。
【請求項６】
フォールディング（ｆｏｌｄｉｎｇ）状態で、前記複数の第１支持面は互いに連結され、前記二つの下部傾斜面は隣接する前記リンク部材の前記下部傾斜面に密着し、前記ベンディング（ｂｅｎｄｉｎｇ）可能領域は円弧形状にベンディングされることを特徴とする請求項４に記載のフォールダブル表示装置。
【請求項７】
前記表示パネルは、前記ベンディング可能領域の両側に位置する二つの平坦領域をさらに含み、
前記パネル支持部は、前記二つの平坦領域に対応する二つの支持板をさらに含むことを特徴とする請求項４に記載のフォールダブル表示装置。
【請求項８】
前記二つの支持板それぞれは前記表示パネルと向き合う第２支持面と、前記第２方向に沿った前記第２支持面の両側端部に位置する二つの第２突出部とを含み、
前記二つの第２突出部と前記複数のリンク部材が含む複数の第１突出部とは、前記回動軸を有する回動結合部によって相互結合されることを特徴とする請求項７に記載のフォールダブル表示装置。
【請求項９】
広げた状態で、二つの前記第２支持面は前記複数の第１支持面と並び、
フォールディング状態で、前記複数の第１支持面のうち最外郭の第１支持面の周縁は、前記第２支持面から前記ベンディング可能領域の曲率中心に向かって離隔されることを特徴とする請求項８に記載のフォールダブル表示装置。
【請求項１０】
フォールディング状態で、前記複数の第１支持面は、二つの前記第２支持面を連結する仮想円弧の内側に位置することを特徴とする請求項９に記載のフォールダブル表示装置。
【請求項１１】
前記二つの第２突出部は、前記表示パネルの両側外側に互いに対向して位置し、
前記複数の第１突出部は、前記表示パネルの両側外側に互いに対向して位置することを特徴とする請求項８に記載のフォールダブル表示装置。
【請求項１２】
前記第１突出部の上面と前記第２突出部の上面は、前記第２面から前記第１面に向かう方向に沿って前記第１面から離隔されていることを特徴とする請求項８に記載のフォールダブル表示装置。
【請求項１３】
前記パネル支持部は中央支持板をさらに含み、
前記複数のリンク部材は、前記第１方向に沿った前記中央支持板の両側に位置することを特徴とする請求項８に記載のフォールダブル表示装置。
【請求項１４】
前記中央支持板は、前記表示パネルと向き合う第３支持面と、前記第２方向に沿った前記第３支持面の両側端部に位置する二つの第３突出部とを含み、
前記二つの第３突出部と前記複数の第１突出部とは、前記回動軸を有する回動結合部によって相互結合されることを特徴とする請求項１３に記載のフォールダブル表示装置。
【請求項１５】
広げた状態で、前記第３支持面は前記複数の第１支持面と並び、
フォールディング状態で、前記複数の第１支持面のうち前記第３支持面と接する前記第１支持面の周縁は、前記第３支持面から前記ベンディング可能領域の曲率中心に向かって離隔されることを特徴とする請求項１４に記載のフォールダブル表示装置。
【請求項１６】
フォールディング状態で、前記複数の第１支持面は、前記第２支持面と前記第３支持面とを連結する仮想円弧の内側に位置することを特徴とする請求項１５に記載のフォールダブル表示装置。
【請求項１７】
前記複数の第１支持面それぞれは中央面と、前記第１方向に沿った前記中央面の両側に位置する二つの面取り面とを含むことを特徴とする請求項４または１３に記載のフォールダブル表示装置。
【請求項１８】
前記二つの面取り面は、互いに同じ幅と互いに同じ面取り角を有することを特徴とする請求項１７に記載のフォールダブル表示装置。
【請求項１９】
表示部が位置する第１面と、前記第１面と反対側に位置する第２面とを備え、ベンディング可能領域を含む表示パネルと、
前記第２面と対向し前記表示パネルに結合されたパネル支持部とを有し、
前記パネル支持部は、
前記ベンディング可能領域に対応して第１方向に沿って並んで配列され、それぞれ二つの回動軸を中心に回動可能に結合された複数のリンク部材を含み、
前記複数のリンク部材それぞれの前記二つの回動軸は、前記第２面から前記第１面に向かう方向に沿って前記第１面と離隔されていることを特徴とするフォールダブル表示装置。
【請求項２０】
前記二つの回動軸は、前記第１方向と交差する第２方向に沿って前記表示パネルの両側外側に位置することを特徴とする請求項１９に記載のフォールダブル表示装置。
【発明の詳細な説明】
【技術分野】
【０００１】
本発明は、フォールダブル表示装置に関し、より詳しくは、表示パネルに結合されたパネル支持部の構造に関する。
【背景技術】
【０００２】
可撓性（ｆｌｅｘｉｂｌｅ）表示パネルは、可撓性基板と、可撓性基板上に配置された表示部とを含み、容易に曲がる性質を有する。最近、可撓性表示パネルを利用して画面を曲げたり半分に折ったりすることができるフォールダブル（ｆｏｌｄａｂｌｅ、折りたたみ式）表示装置が開発されている。
【０００３】
フォールダブル表示装置は、可撓性表示パネルと、可撓性表示パネルに結合されたパネル支持部とを含む。パネル支持部は、可撓性表示パネルと共にフォールディング動作が行われる構造を有する。パネル支持部は、可撓性表示パネルを安定的に支持しなければならないし、またフォールディング状態で可撓性表示パネルを変形させてはならない。
【発明の概要】
【発明が解決しようとする課題】
【０００４】
本発明は、上記従来のフォールダブル表示装置における問題点に鑑みてなされたものであって、フォールディング状態で可撓性表示パネルが受けるストレスを最小化することができるフォールダブル表示装置を提供することを目的とする。
【課題を解決するための手段】
【０００５】
本発明の一実施形態によるフォールダブル表示装置は、表示部が位置する第１面と、第１面と反対側に位置する第２面とを備え、ベンディング可能領域を含む表示パネルと、第２面と対向し表示パネルに結合されたパネル支持部とを有し、パネル支持部は、ベンディング可能領域に対応して第１方向に沿って並んで配列され、それぞれ表示パネルと向き合う第１支持面を備え、それぞれ二つの回動軸を中心に回動可能に結合された複数のリンク部材を含み、複数のリンク部材それぞれの二つの回動軸は、第２面から第１面に向かう方向に沿って第１支持面と離隔していることを特徴とする。
【０００６】
複数のリンク部材が備える複数の第１支持面は広げた状態で互いに離隔し、複数のリンク部材それぞれの二つの回動軸の間の距離は、第１支持面の幅より大きいこともある。
複数のリンク部材それぞれは、第１支持面の第１方向に沿った両側端部の下方に位置し第１支持面と連結される二つの下部傾斜面と、第１方向と交差する第２方向に沿った第１支持面の両側端部に位置する二つの第１突出部とをさらに含んでもよい。
【０００７】
二つの第１突出部それぞれは、断面上で二つの下部傾斜面と同一平面上に位置する二つの上部傾斜面を含んでもよく、二つの回動軸は二つの上部傾斜面の上側端部に位置することができる。
【０００８】
二つの第１突出部それぞれは、二つの上部傾斜面上に位置する二つの垂直面をさらに含んでもよく、広げた状態で、二つの垂直面は、第１方向に沿って隣接する第１突出部に含まれる垂直面と接触することができる。
【０００９】
フォールディング状態で、複数の第１支持面は互いに連結されてもよく、二つの下部傾斜面は隣接するリンク部材の下部傾斜面に密着することができ、ベンディング可能領域は円弧形状にベンディングされることができる。
表示パネルは、ベンディング可能領域の両側に位置する二つの平坦領域をさらに含んでもよく、パネル支持部は二つの平坦領域に対応する二つの支持板をさらに含んでもよい。
【００１０】
二つの支持板それぞれは表示パネルと向き合う第２支持面と、第２方向に沿った第２支持面の両側端部に位置する二つの第２突出部とを含んでもよい。二つの第２突出部と複数のリンク部材に含まれる複数の第１突出部は回動軸を有する回動結合部によって相互結合してもよい。
広げた状態で、二つの第２支持面は複数の第１支持面と並ぶことができ、フォールディング状態で、複数の第１支持面のうち最外郭の第１支持面の周縁は第２支持面からベンディング可能領域の曲率中心に向かって離隔できる。
【００１１】
フォールディング状態で、複数の第１支持面は二つの第２支持面を連結する仮想円弧の内側に位置することができる。
二つの第２突出部は表示パネルの両側外側に互いに対向して位置することができ、複数の第１突出部は表示パネルの両側外側に互いに対向して位置することができる。
第１突出部の上面と第２突出部の上面は、第２面から第１面に向かう方向に沿って第１面から離隔できる。
【００１２】
複数の第１支持面それぞれは中央面と、中央面の両側に位置する二つの面取り面を含んでもよい。
二つの面取り面は互いに同じ幅と互いに同じ面取り角を有してもよい。
パネル支持部は中央支持板をさらに含んでもよく、複数のリンク部材は第１方向に沿った中央支持板の両側に位置することができる。
【００１３】
中央支持板は表示パネルと向き合う第３支持面と、第２方向に沿った第３支持面の両側端部に位置する二つの第３突出部とを含んでもよい。二つの第３突出部と複数の第１突出部とは回動軸を有する回動結合部によって相互結合してもよい。
広げた状態で、第３支持面は複数の第１支持面と並ぶことができ、フォールディング状態で、複数の第１支持面のうち第３支持面と接する第１支持面の周縁は第３支持面からベンディング可能領域の曲率中心に向かって離隔できる。
【００１４】
フォールディング状態で、複数の第１支持面は第２支持面と第３支持面を連結する仮想円弧の内側に位置することができる。
複数の第１支持面それぞれは中央面と、第１方向に沿った中央面の両側に位置する二つの面取り面を含んでもよい。
二つの面取り面は互いに同じ幅と互いに同じ面取り角を有してもよい。
【００１５】
本発明の他の一実施形態によるフォールダブル表示装置は、表示部が位置する第１面と、第１面と反対側に位置する第２面とを備え、ベンディング可能領域を含む表示パネルと、第２面と対向し表示パネルに結合されたパネル支持部とを有し、パネル支持部は、ベンディング可能領域に対応して第１方向に沿って並んで配列され、それぞれ二つの回動軸を中心に回動可能に結合された複数のリンク部材を含み、複数のリンク部材それぞれの二つの回動軸は第２面から第１面に向かう方向に沿って第１面と離隔していることを特徴とする。
二つの回動軸は、第１方向と交差する第２方向に沿って表示パネルの両側外側に位置することができる。
【発明の効果】
【００１６】
本発明の実施形態によれば、フォールディング状態で複数のリンク部材は表示パネルの変形を最少化し、表示パネルの破損の可能性を低くする。また、パネル支持部の第１突出部と第２突出部は表示パネルの保護装置として機能し、外部衝撃による表示パネルの破損を抑制する。
【図面の簡単な説明】
【００１７】
【図１】本発明の第１実施形態によるフォールダブル表示装置の広げた状態を示す分解斜視図である。
【図２】図１のＩＩ−ＩＩ線に沿って切断したフォールダブル表示装置の結合状態断面図である。
【図３】図２の部分拡大図である。
【図４】図３に示す回動結合部の例を示す断面図である。
【図５】図２に示すフォールダブル表示装置のフォールディング状態を示す断面図である。
【図６】図５の部分拡大図である。
【図７】図６の部分拡大図である。
【図８】比較例によるフォールダブル表示装置の広げた状態を示す部分拡大断面図である。
【図９】図８に示すフォールダブル表示装置のフォールディング状態を示す部分拡大断面図である。
【図１０】本発明の第２実施形態によるフォールダブル表示装置の広げた状態を示す部分拡大断面図である。
【図１１】図１０に示すフォールダブル表示装置のフォールディング状態を示す図である。
【図１２】本発明の第３実施形態によるフォールダブル表示装置の広げた状態を示す断面図である。
【図１３】図１２に示したフォールダブル表示装置のフォールディング状態を示す部分拡大図である。
【図１４】本発明の第４実施形態によるフォールダブル表示装置のフォールディング状態を示す部分拡大断面図である。
【発明を実施するための形態】
【００１８】
次に、本発明に係るフォールダブル表示装置を実施するための形態の具体例を、図面を参照しながら詳細に説明する。
本発明は様々な相異な形態に実現でき、ここで説明する実施形態に限定されない。
本発明を明確に説明するために説明上不必要な部分は省略し、明細書全体にわたって同一または類似の構成要素については同一の参照符号を付与する。
【００１９】
図面に示す各構成の大きさおよび厚さは説明の便宜のために任意に示すもので、本発明が必ずしも図示するところに限定されるものではない。図面では様々な層および領域を明確に表現するために厚さを拡大して示す。そして図面において、説明の便宜のために、一部の層および領域の厚さを誇張して示す。
層、膜、領域、板などの部分が他の部分の“上に”または“上に”あるというとき、これは他の部分の“直上に”ある場合だけでなく、その中間にまた他の部分がある場合も含む。逆に、ある部分が他の部分の“直上”にあるというときは、その中間に他の部分がないことを意味する。
【００２０】
また、基準となる部分“の上に”にまたは“上に”あるというのは基準となる部分の上または下に位置することであり、必ずしも重力と反対方向に向かって“の上に”または“上に”位置することを意味するのではない。
明細書全体で、ある部分がある構成要素を“含む”というとき、これは特に反対になる記載がない限り、他の構成要素を除くのではなく他の構成要素をさらに含むことができることを意味する。
また、明細書全体で、“平面上”というとき、これは対象部分を上方から見た時を意味し、“断面上”というとき、これは対象部分を垂直に切断した断面を側方から見た時を意味する。
【００２１】
図１は、本発明の第１実施形態によるフォールダブル表示装置の広げた状態を示す分解斜視図である。図２は、図１のＩＩ−ＩＩ線に沿って切断したフォールダブル表示装置の結合状態断面図であり、図３は、図２の部分拡大図である。
図１乃至図３を参照すると、第１実施形態のフォールダブル表示装置１００は、表示パネル１０と、表示パネル１０に結合して表示パネル１０を支持するパネル支持部２０とを含む。
【００２２】
表示パネル１０は、可撓性基板１１と、可撓性基板１１上に位置する表示部１２とを含む。表示パネル１０は、例えば有機発光表示パネル、液晶表示パネル、電気泳動表示パネルのうちのいずれか一つでありうる。
表示パネル１０は、表示部１２が位置する第１面Ｓ１０と、第１面Ｓ１０と反対になる第２面Ｓ２０とを含む。第１面Ｓ１０は表示面であり、第２面Ｓ２０は表示面または非表示面でありうる。図１を基準にして表示パネル１０の上面が第１面Ｓ１０となり、表示パネル１０の下面が第２面Ｓ２０となる。
【００２３】
表示パネル１０は、平坦領域ＦＡとベンディング可能領域ＢＡとに区分される。例えば、表示パネル１０は、中央に位置するベンディング可能領域ＢＡと、ベンディング可能領域ＢＡの両側に位置する二つの平坦領域ＦＡとに区分される。第１方向ＤＲ１に沿う二つの平坦領域ＦＡの長さは同一であっても互いに異なってもよい。
【００２４】
パネル支持部２０は、表示パネル１０の第２面Ｓ２０と対向し表示パネル１０に結合される。パネル支持部２０は、二つの平坦領域ＦＡに対応する二つの支持板３０と、ベンディング可能領域ＢＡに対応する複数のリンク部材４０とを含んでもよい。
複数のリンク部材４０は、第１方向ＤＲ１に沿って並んで配列され、複数のリンク部材４０それぞれは第１方向ＤＲ１と交差する第２方向ＤＲ２に沿って延長された棒形状であってもよい。断面上で観察される複数のリンク部材４０それぞれの垂直幅ａ１（図３参照）は支持板３０の垂直幅ａ２（図３参照）より小さくてもよい。
【００２５】
複数のリンク部材４０それぞれは表示パネル１０と向き合う第１支持面４１を備え、二つの支持板３０それぞれは表示パネル１０と向き合う第２支持面３１を備える。表示パネル１０のベンディング可能領域ＢＡは複数の第１支持面４１上に位置し、平坦領域ＦＡは二つの第２支持面３１上に位置する。広げた状態で複数の第１支持面４１と二つの第２支持面３１は第１方向ＤＲ１に沿って並んで、同じ高さに位置する。
【００２６】
表示パネル１０の平坦領域ＦＡは図示しない粘着層によって支持板３０の第２支持面３１に取り付けられる。一方、表示パネル１０のベンディング可能領域ＢＡは複数のリンク部材４０に取り付けられない。つまり、表示パネル１０の平坦領域ＦＡは第２支持面３１に固定されるが、ベンディング可能領域ＢＡは複数の第１支持面４１と接触したり複数の第１支持面４１からわずかに離れたりしている状態を維持できる。
【００２７】
複数のリンク部材４０それぞれは、第２方向ＤＲ２に沿った両側端部の上方に突出した第１突出部４２を含んでもよい。支持板３０は、第２方向ＤＲ２に沿った両側端部の上方に突出した第２突出部３２を含んでもよい。第１突出部４２および第２突出部３２は表示パネル１０と重畳されず、表示パネル１０の両側外側に位置することができる。
ここで、‘上方に突出した’とは、図面を基準にして正（＋）の第３方向に沿って突出したことを意味し、これは表示パネル１０の第２面Ｓ２０から第１面Ｓ１０に向かう方向に沿って突出したのと同じ意味である。
【００２８】
複数の第１突出部４２と二つの第２突出部３２は複数の回動結合部５０によって相互結合する。複数の回動結合部５０それぞれは回動軸５１を有し、複数のリンク部材４０それぞれは第１突出部４２に位置する二つの回動軸５１を中心に回動することができる。回動結合部５０は、例えばヒンジ軸を有するヒンジ組立体で構成してもよい。この場合、回動軸５１はヒンジ軸からなる。
【００２９】
図４は、図３に示す回動結合部の例を示す断面図である。
図４を参照すると、回動結合部５０はいずれか一つの第１突出部４２に連結された第１リンクアーム５２と、他の一つの第１突出部４２に連結された第２リンクアーム５３と、第１リンクアーム５２と第２リンクアーム５３とを貫通してこの二つをヒンジ結合させる回動軸５１を含む。回動結合部５０は示した例に限られない。
【００３０】
図１乃至図３を再び参照すると、複数のリンク部材４０それぞれは第１支持面４１の下に位置する二つの下部傾斜面４３を含む。複数の第１突出部４２それぞれは、二つの上部傾斜面４４を含む。上部傾斜面４４は下部傾斜面４３と同じ傾きを有し、断面上で下部傾斜面４３と同一平面上に位置することができる。
【００３１】
回動軸５１と回動結合部５０は上部傾斜面４４の上側端部に位置することができる。二つの回動軸５１は第１支持面４１より高く位置し、正（＋）の第３方向（広げた状態で第２面Ｓ２０から第１面Ｓ１０に向かう方向と一致）に沿って第１支持面４１から所定の離隔距離Ｇ１（図３参照）を有する。
第１支持面４１に対する回動軸５１の離隔距離Ｇ１は表示パネル１０の厚さより大きい。したがって、二つの回動軸５１は表示パネル１０の第１面Ｓ１０より高く位置し、正（＋）の第３方向ＤＲ３に沿って第１面Ｓ１０から所定の離隔距離Ｇ２を有する。
【００３２】
また、それぞれのリンク部材４０で二つの回動軸５１の間の距離Ｄ（図３参照）は第１支持面４１の幅Ｗ（図３参照）より大きい。複数の第１突出部４２それぞれは、二つの上部傾斜面４４上で上部傾斜面４４と連結された二つの垂直面４５を含む。
広げた状態で、垂直面４５は隣接する第１突出部４２の垂直面４５と接触し、上部傾斜面４４は隣接する第１突出部４２の上部傾斜面４４と離隔する。複数の第１支持面４１は互いに離隔し、下部傾斜面４３は隣り合うリンク部材４０の下部傾斜面４３と離隔する。
広げた状態で、複数のリンク部材４０のうち最外郭に位置するリンク部材４０の第１支持面４１は支持板３０の第２支持面３１と離隔し、最外郭に位置する上部傾斜面４４と下部傾斜面４３は支持板３０の内面と離隔する。
【００３３】
図５は、図２に示すフォールダブル表示装置のフォールディング状態を示す断面図である。図６は、図５の部分拡大図であり、図７は、図６の部分拡大図である。
図５乃至図７を参照すると、第１実施形態のフォールダブル表示装置１００は複数のリンク部材４０が回動軸５１を中心に回動し、表示パネル１０のベンディング可能領域ＢＡが円弧形状に曲がりながらフォールディング状態に転換される。図５には、６つのリンク部材４０が密着して断面上に半円を構成し、表示パネル１０のベンディング可能領域ＢＡが１８０゜にベンディングされた場合を示している。
【００３４】
フォールディング状態で、複数の第１支持面４１は互いに連結され、複数のリンク部材４０は下部傾斜面４３同士が接触し、最外郭のリンク部材４０の下部傾斜面４３は支持板３０の内面と接触する。複数の第１突出部４２は上部傾斜面４４同士が接触し、最外郭の第１突出部４２の上部傾斜面４４は支持板３０の内面と接触する。
反面、フォールディング状態で隣り合う二つの垂直面４５は回動軸５１を中心として広がり、最外郭の第１突出部４２の垂直面４５は支持板３０の内面から離隔される。複数のリンク部材４０で下部傾斜面４３の角度は、フォールディング状態で複数のリンク部材４０が互いに密着して半円を構成できるように設定される。
【００３５】
複数のリンク部材４０それぞれで二つの回動軸５１が第１支持面４１より高く位置することによって、フォールディング状態で最外郭のリンク部材４０の第１支持面４１の周縁は支持板３０の第２支持面３１からベンディング可能領域ＢＡの曲率中心Ｃに向かって所定の離隔距離Ｇ３（図７参照）を有する。つまり、フォールディング状態で第１支持面４１の周縁は第２支持面３１の周縁と接せず、第２支持面３１の周縁よりベンディング可能領域ＢＡの曲率中心Ｃにさらに近く位置する。
【００３６】
支持板３０と最外郭のリンク部材４０を連結する回動軸５１において、回動軸５１と第１支持面４１の間の距離Ｄ１（図７参照）は、回動軸５１と第２支持面３１の間の距離Ｄ２（図７参照）より大きい。このような距離Ｄ１と距離Ｄ２の差がフォールディング状態で前述した離隔距離Ｇ３として現れる。
また、広げた状態で複数の第１支持面４１は互いに離隔して位置する。これは、複数の第１支持面４１の長さの和が広げた状態で二つの第２支持面３１を連結する仮想線の長さより短いことを意味する。したがって、フォールディング状態で互いに接する複数の第１支持面４１は、二つの第２支持面３１を連結する仮想円弧ＩＳＣ（図６参照）の内側に位置することができる。
【００３７】
例えば、隣り合う二つの第１支持面４１が接する複数の地点のうちの少なくとも一つの地点は仮想円弧ＩＳＣ上に位置でき、第１支持面４１の残りの部分は、仮想円弧ＩＳＣと距離をおいて仮想円弧ＩＳＣの内側に位置することができる。フォールディング状態でベンディング可能領域ＢＡの第２面Ｓ２０は、仮想円弧ＩＳＣ上に位置することができる。
このように複数のリンク部材４０は前述した回動軸５１と第１支持面４１の高さの差によって、フォールディング状態でベンディング可能領域ＢＡの第２面Ｓ２０から内側に（仮想円弧ＩＳＣまたはベンディング可能領域ＢＡの曲率中心Ｃに向かう方向に）押し出されて位置する。したがって、複数のリンク部材４０は、フォールディング状態で表示パネル１０の変形を最少化して表示パネル１０の不良発生を抑制することができる。
【００３８】
図８は、比較例によるフォールダブル表示装置の広げた状態を示す部分拡大断面図であり、図９は、図８に示すフォールダブル表示装置のフォールディング状態を示す部分拡大断面図である。
図８および図９を参照すると、複数のリンク部材４０１は回動軸５１を有する複数の回動結合部５０によって相互結合され、複数のリンク部材４０１それぞれは、二つの回動軸５１を中心に回動することができる。広げた状態で、二つの回動軸５１は表示パネル１０と向き合う第１支持面４１１および第２支持面３１１と同じ高さに位置する。
【００３９】
この場合、フォールディング状態で隣り合う二つの第１支持面４１１が接する複数の地点Ｐ１、Ｐ２（図９参照）は、二つの第２支持面３１１を連結する仮想円弧ＩＳＣの外側に位置する。したがって、複数のリンク部材４０１は隣り合う二つの第１支持面４１１が接する複数の地点Ｐ１、Ｐ２で表示パネル１０を仮想円弧ＩＳＣの曲率中心Ｃから遠くなる方向に押して変形させる。
【００４０】
表示パネル１０のベンディング可能領域ＢＡはフォールディング状態で全体的に１８０゜曲がりながら変形が発生するが、隣り合う二つの第１支持面４１１が接する複数の地点Ｐ１、Ｐ２に対応して応力が他のところより大きく発生する。このような現象は、表示パネル１０を構成する多層膜のうちの変形量に敏感な層が破損する確率を高める。
【００４１】
例えば、表示パネル１０は可撓性基板、表示部、密封層、タッチセンサ部、偏光フィルム、カバーウィンドウなどの多層膜で構成される。この時、カバーウィンドウのハードコーティング層や表示部の無機絶縁膜などは脆性的性質を有し、引張変形によって破損する確率が高い。したがって、比較例のフォールダブル表示装置は、フォールディング状態で急激な応力上昇によって表示パネル１０の特定層が破損する可能性が大きい。
反面、第１実施形態のフォールダブル表示装置１００は、前述した回動軸５１と第１支持面４１の高さの差によって、フォールディング状態で複数のリンク部材４０が表示パネル１０を押して変形させる量を最少化し、表示パネル１０の破損の可能性を低くして製品の耐久性を高めることができる。
【００４２】
また、第１実施形態のフォールダブル表示装置１００で第１突出部４２と第２突出部３２の上面は、表示パネル１０の第１面Ｓ１０より高く位置する。つまり、広げた状態で第１突出部４２と第２突出部３２の上面は、正（＋）の第３方向ＤＲ３に沿って表示パネル１０の第１面Ｓ１０から離隔距離Ｇ４（図２および図３参照）を有する。
フォールダブル表示装置１００に落下衝撃のような外部衝撃が加わる場合、表示パネル１０より上に突出した第１突出部４２と第２突出部３２に外部衝撃がまず加わることができる。この場合、第１突出部４２および第２突出部３２は、表示パネル１０の保護装置として機能し、外部衝撃による表示パネル１０の破損を抑制することができる。
【００４３】
図１０は、本発明の第２実施形態によるフォールダブル表示装置の広げた状態を示す部分拡大断面図であり、図１１は、図１０に示すフォールダブル表示装置のフォールディング状態を示す図である。
図１０および図１１を参照すると、第２実施形態のフォールダブル表示装置２００で複数の第１支持面４１それぞれは、両側周縁に位置する二つの面取り面４１ｂを含む。
【００４４】
具体的に、複数の第１支持面４１それぞれは、広げた状態で第１方向ＤＲ１と並んだ中央面４１ａと、中央面４１ａの両側に位置する二つの面取り面４１ｂを含むことができる。二つの面取り面４１ｂの幅は互いに同じであってもよく、二つの面取り面４１ｂの面取り角も互いに同一であってもよい。この場合、複数の第１支持面４１それぞれは左右対称をなす。
【００４５】
複数の第１支持面４１それぞれが二つの面取り面４１ｂを含むことによって、フォールディング状態で隣り合う二つの第１支持面４１が接する複数の地点は、前述した第１実施形態の場合よりベンディング可能領域ＢＡの曲率中心Ｃにさらに近く位置する。
つまり、第１実施形態の場合、フォールディング状態で隣り合う二つの第１支持面４１はＰ３地点（図１１参照）で接する。しかし、第２実施形態の場合、フォールディング状態で隣り合う二つの第１支持面４１はＰ４地点（図１１参照）で接する。Ｐ４地点はＰ３地点よりベンディング可能領域ＢＡの曲率中心Ｃにさらに近く位置する。
【００４６】
第２実施形態のフォールダブル表示装置２００は、Ｐ３地点とＰ４地点との間の距離Ｇ５（図１１参照）ほどリンク部材４０の第１支持面４１を表示パネル１０から離隔させることができる。したがって、複数のリンク部材４０はフォールディング状態で表示パネル１０に実質的な変形を加えず、表示パネル１０の応力発生を最少化できる。
第２実施形態のフォールダブル表示装置２００は、複数のリンク部材４０それぞれの第１支持面４１が二つの面取り面４１ｂを含むのを除いて、前述した第１実施形態と同一または類似の構成からなる。
【００４７】
図１２は、本発明の第３実施形態によるフォールダブル表示装置の広げた状態を示す断面図であり、図１３は、図１２に示したフォールダブル表示装置のフォールディング状態を示す部分拡大図である。
図１２および図１３を参照すると、第３実施形態のフォールダブル表示装置３００でパネル支持部２０は複数のリンク部材４０の間に位置する中央支持板６０を含む。中央支持板６０はパネル支持部２０の中央に位置し、複数のリンク部材４０と二つの支持板３０は、中央支持板６０を中央に置いて左右対称に配置することができる。
【００４８】
中央支持板６０は表示パネル１０と向き合う第３支持面６１を含み、第２方向ＤＲ２に沿った両側端部の上方に突出した第３突出部６２を含む。
複数の第１突出部４２と二つの第２突出部３２、および一つの第３突出部６２は複数の回動結合部５０によって相互結合する。複数の回動結合部５０それぞれは回動軸５１を有し、複数のリンク部材４０それぞれは、第１突出部４２に位置する二つの回動軸５１を中心に回動することができる。
【００４９】
フォールディング状態で、複数のリンク部材４０は下部傾斜面４３が互いに接するように密着し、複数の第１支持面４１は支持板３０と中央支持板６０の間で９０゜の円弧に対応する。表示パネル１０は、中央支持板６０および二つの支持板３０に対応する三つの平坦領域ＦＡと、複数のリンク部材４０に対応する二つのベンディング可能領域ＢＡとに区分される。
第３実施形態のフォールダブル表示装置３００は、複数のリンク部材４０の間に中央支持板６０が位置するのを除いて、前述した第１実施形態と同一または類似の構成からなる。
【００５０】
図１４は、本発明の第４実施形態によるフォールダブル表示装置のフォールディング状態を示す部分拡大断面図である。
図１４を参照すると、第４実施形態のフォールダブル表示装置４００で複数の第１支持面４１それぞれは、両側周縁に位置する二つの面取り面４１ｂを含む。つまり、複数の第１支持面４１それぞれは、広げた状態で第１方向ＤＲ１と並んだ中央面４１ａと、中央面４１ａの両側に位置する二つの面取り面４１ｂとを含む。
【００５１】
面取り面４１ｂの作用については、前述した第２実施形態で説明したものと同様である。第４実施形態のフォールダブル表示装置４００は、複数の第１支持面４１それぞれが二つの面取り面４１ｂを含むのを除いて、前述した第３実施形態と同一または類似の構成からなる。
【００５２】
以上、本発明の好ましい実施形態について説明したが、本発明はこれらに限定されるものではなく、特許請求の範囲と発明の詳細な説明および添付した図面の範囲内で多様に変形して実施することが可能であり、これも本発明の範囲に属することは言うまでもない。
【符号の説明】
【００５３】
１０    表示パネル
１１    可撓性基板
１２    表示部
２０    パネル支持部
３０    支持板
３１、４１、６１    （第２、第１、第３）支持面
３２、４２、６２    （第２、第１、第３）突出部
４０、４０１    リンク部材
４３    下部傾斜面
４４    上部傾斜面
４５    垂直面
５０    回動結合部
５１    回動軸
５２、５３    （第１、第２）リンクアーム
６０    中央支持板
１００、２００、３００、４００    フォールダブル表示装置
【図１】
2018060201.tif 000003
【図２】
2018060201.tif 000004
【図３】
2018060201.tif 000005
【図４】
2018060201.tif 000006
【図５】
2018060201.tif 000007
【図６】
2018060201.tif 000008
【図７】
2018060201.tif 000009
【図８】
2018060201.tif 000010
【図９】
2018060201.tif 000011
【図１０】
2018060201.tif 000012
【図１１】
2018060201.tif 000013
【図１２】
2018060201.tif 000014
【図１３】
2018060201.tif 000015
【図１４】
2018060201.tif 000016